(57)【特許請求の範囲】
【請求項１】
縦断面視で凹状に形成される凹部と、前記凹部より外側であって且つ前記凹部の底面より高い位置に上面が設けられた縁部とを有する基材に対して、前記凹部を覆うように前記縁部の前記上面に可撓性を有する表面材を接着固定する（ａ）工程と、
前記基材の裏面から前記凹部に至るまで貫通した注入孔から液状のエラストマー系樹脂を注入するとともに、前記基材の裏面から前記凹部に至るまで貫通した空気抜き孔を介して前記凹部と前記表面材との間に形成された空間内から押し出された空気を前記空間外に排気して、前記空間内を前記エラストマー系樹脂で充填する（ｂ）工程と、
前記空間内に充填された液状の前記エラストマー系樹脂を硬化させる（ｃ）工程と、
前記表面材の端部と前記基材との間の隙間を水密的にシールする（ｄ）工程と、
を有することを特徴とする浴室用洗い場床の製造方法。
【請求項２】
基材の底面部上に環状のスペーサーを接着固定することによって形成された縦断面視で凹状の凹部を覆うように前記スペーサーの上に可撓性を有する表面材を接着固定する（ａ）工程と、
前記基材の裏面から前記凹部に至るまで貫通した注入孔から液状のエラストマー系樹脂を注入するとともに、前記基材の裏面から前記凹部に至るまで貫通した空気抜き孔を介して前記凹部と前記表面材との間に形成された空間内から押し出された空気を前記空間外に排気して、前記空間内を前記エラストマー系樹脂で充填する（ｂ）工程と、
前記空間内に充填された液状の前記エラストマー系樹脂を硬化させる（ｃ）工程と、
前記表面材の端部と前記基材との間の隙間を水密的にシールする（ｄ）工程と、
を有することを特徴とする浴室用洗い場床の製造方法。
【請求項３】
前記表面材を支持台上に支持した状態で前記（ｂ）工程を行うことを特徴とする請求項１または２に記載の浴室用洗い場床の製造方法。
【請求項４】
前記（ｂ）工程において、前記空気抜き孔から真空吸引を行うことで、前記凹部と前記表面材との間に形成された前記空間内の空気を強制的に前記空間外に排気することを特徴とする請求項１〜３のいずれか１つに記載の浴室用洗い場床の製造方法。
【請求項５】
前記（ｃ）工程の後に、前記注入孔及び前記空気抜き孔を塞ぐ（ｅ）工程を行うことを特徴とする請求項１〜４のいずれか１つに記載の浴室用洗い場床の製造方法。
【請求項６】
前記（ｅ）工程において、前記注入孔及び前記空気抜き孔を支持脚で塞ぐことを特徴とする請求項５記載の浴室用洗い場床の製造方法。
【請求項７】
縦断面視で凹状に形成される凹部と、前記凹部より外側であって且つ前記凹部の底面より高い位置に上面が設けられた縁部とを有する基材と、
前記凹部を覆うように前記縁部の前記上面に接着固定された可撓性を有する表面材と、
前記凹部と前記表面材との間に形成された空間内に充填されたエラストマー系樹脂層と、
前記基材の裏面から前記凹部に至るまで貫通して形成され、前記エラストマー系樹脂層に通じる貫通孔と、
前記表面材の端部と前記基材との間の隙間を水密的にシールするシーリング材と、
を備えたことを特徴とする浴室用洗い場床。
【請求項８】
基材と、
前記基材の底面部上に接着固定された環状のスペーサーと、
前記スペーサーの内周部と前記基材の底面部とに囲まれて形成された縦断面視で凹状の凹部を覆うように前記スペーサーの上に接着固定された可撓性を有する表面材と、
前記凹部と前記表面材との間に形成された空間内に充填されたエラストマー系樹脂層と、
前記基材の裏面から前記凹部に至るまで貫通して形成され、前記エラストマー系樹脂層に通じる貫通孔と、
前記表面材の端部と前記基材との間の隙間を水密的にシールするシーリング材と、
を備えたことを特徴とする浴室用洗い場床。
【請求項９】
前記貫通孔は塞がれていることを特徴とする請求項７または８に記載の浴室用洗い場床。
【請求項１０】
前記貫通孔は支持脚で塞がれていることを特徴とする請求項９記載の浴室用洗い場床。
【発明の詳細な説明】
【技術分野】
【０００１】
本発明は、浴室用洗い場床の製造方法及び浴室用洗い場床に関する。
【背景技術】
【０００２】
従来より、浴室の洗い場床にクッション性を付与する構造が提案されている。例えば、特許文献１には、ＦＲＰ等の樹脂材料からなる基材に対して、発泡層と、熱可塑性エラストマーからなる軟質材とを順に積層し一体化した浴室洗い場床が開示されている。また、特許文献１には、軟質材からなる表面層を真空成形によりバックアップ基材と積層一体化させることが開示されている。
【特許文献１】特開２００１−２４５８１４号公報
【発明の開示】
【発明が解決しようとする課題】
【０００３】
複層構造の洗い場床において、各層を真空圧着させて一体構造とする場合には、各層接着面に空気溜まりが形成されやすく、各層間の密着が不十分となってしまうことが懸念される。各層間に空気が残っていると、剥がれの要因となるとともに、空気溜まり部分が膨れることになるため、意匠的に商品価値を大きく低下させることにもなる。また、床面上の膨れは、洗い場床表面における排水性能を悪化させる要因ともなり得る。
【０００４】
本発明は上述の問題に鑑みてなされ、空気溜まりの形成を抑制しつつクッション性を有する層を形成可能な浴室用洗い場床の製造方法及び浴室用洗い場床を提供する。
【課題を解決するための手段】
【０００５】
本発明の一態様によれば、縦断面視で凹状に形成される凹部と、前記凹部より外側であって且つ前記凹部の底面より高い位置に上面が設けられた縁部とを有する基材に対して、前記凹部を覆うように前記縁部の前記上面に可撓性を有する表面材を接着固定する（ａ）工程と、前記基材の裏面から前記凹部に至るまで貫通した注入孔から液状のエラストマー系樹脂を注入するとともに、前記基材の裏面から前記凹部に至るまで貫通した空気抜き孔を介して前記凹部と前記表面材との間に形成された空間内から押し出された空気を前記空間外に排気して、前記空間内を前記エラストマー系樹脂で充填する（ｂ）工程と、前記空間内に充填された液状の前記エラストマー系樹脂を硬化させる（ｃ）工程と、前記表面材の端部と前記基材との間の隙間を水密的にシールする（ｄ）工程と、を有することを特徴とする浴室用洗い場床の製造方法が提供される。
【０００６】
また、本発明の他の一態様によれば、基材の底面部上に環状のスペーサーを接着固定することによって形成された縦断面視で凹状の凹部を覆うように前記スペーサーの上に可撓性を有する表面材を接着固定する（ａ）工程と、前記基材の裏面から前記凹部に至るまで貫通した注入孔から液状のエラストマー系樹脂を注入するとともに、前記基材の裏面から前記凹部に至るまで貫通した空気抜き孔を介して前記凹部と前記表面材との間に形成された空間内から押し出された空気を前記空間外に排気して、前記空間内を前記エラストマー系樹脂で充填する（ｂ）工程と、前記空間内に充填された液状の前記エラストマー系樹脂を硬化させる（ｃ）工程と、前記表面材の端部と前記基材との間の隙間を水密的にシールする（ｄ）工程と、を有することを特徴とする浴室用洗い場床の製造方法が提供される。
【０００７】
また、本発明のさらに他の一態様によれば、縦断面視で凹状に形成される凹部と、前記凹部より外側であって且つ前記凹部の底面より高い位置に上面が設けられた縁部とを有する基材と、前記凹部を覆うように前記縁部の前記上面に接着固定された可撓性を有する表面材と、前記凹部と前記表面材との間に形成された空間内に充填されたエラストマー系樹脂層と、前記基材の裏面から前記凹部に至るまで貫通して形成され、前記エラストマー系樹脂層に通じる貫通孔と、前記表面材の端部と前記基材との間の隙間を水密的にシールするシーリング材と、を備えたことを特徴とする浴室用洗い場床が提供される。
【０００８】
また、本発明のさらに他の一態様によれば、基材と、前記基材の底面部上に接着固定された環状のスペーサーと、前記スペーサーの内周部と前記基材の底面部とに囲まれて形成された縦断面視で凹状の凹部を覆うように前記スペーサーの上に接着固定された可撓性を有する表面材と、前記凹部と前記表面材との間に形成された空間内に充填されたエラストマー系樹脂層と、前記基材の裏面から前記凹部に至るまで貫通して形成され、前記エラストマー系樹脂層に通じる貫通孔と、前記表面材の端部と前記基材との間の隙間を水密的にシールするシーリング材と、を備えたことを特徴とする浴室用洗い場床が提供される。
【発明の効果】
【０００９】
本発明によれば、空気溜まりの形成を抑制しつつクッション性を有する層を形成可能な浴室用洗い場床の製造方法及び浴室用洗い場床が提供される。
【発明を実施するための最良の形態】
【００１０】
浴室の洗い場床に柔らかさを付与するために、弾性変形可能なクッション性を有する材料で洗い場床を構成することが考えられるが、クッション性を有する材料は、耐水性、耐薬品性、耐衝撃性など、洗い場床として求められる基本性能に優れないことが多く、クッション性を有する材料だけで構成した洗い場床は商品として提供しにくい。
【００１１】
したがって、洗い場床にクッション材を用いた場合、浴室内側に露出する表面には、耐久性（耐水性、耐薬品性などのユニットバスの基本性能）を満足する材料からなる表面材が別途必要になる。
【００１２】
また、前述したような特性を満足する表面材やクッション材は荷重を支えるのに十分な強度を確保しにくく、これらとは別に、表面材やクッション材より荷重を支えるための強度の大きな基材が必要となる。すなわち、洗い場床に柔らかさを付与しつつ、浴室における洗い場床として求められる最低限の基本性能を確保するためには少なくとも基材、クッション材、表面材を組み合わせた構造にすることが望ましい。
【００１３】
［第１の実施形態］
図１は、本発明の第１の実施形態に係る浴室用洗い場床の模式断面斜視図である。
【００１４】
本実施形態に係る洗い場床は、基材１１の底面部１２と、表面材１９との間にエラストマー系樹脂層１８を後述する方法にて充填形成した構造を有する。
【００１５】
基材１１は、浴室外に湯水を漏出させない防水性、および壁パネル、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００１６】
基材１１は段付きのパン形状に形成され、その底面部１２の周縁部には環状のスペーサー１６が接着固定されている。スペーサー１６の内周部と基材１１の底面部１２とに囲まれて縦断面視で凹状の凹部１３が形成されている。基材１１において底面部１２より外方側には底面部１２よりも一段高くされた縁部１４がフランジ状に設けられている。縁部１４のさらに外側には、上方に立ち上がった水返し壁として機能する側壁部１５が設けられている。
【００１７】
図３（ａ）は、スペーサー１６が設けられた状態の基材１１の上面図を示す。
【００１８】
基材１１の上面視において凹部１３は大部分の面積を占める。基材１１の底面部１２における縁部１４寄りの一部分には排水用開口２１が形成されている。スペーサー１６は、凹部１３と排水用開口２１との間も含む凹部１３の全周を囲むように設けられている。縁部１４及び側壁部１５は排水用開口２１のさらに外方側に形成されている。
【００１９】
また、基材１１の底面部１２には、基材１１の裏面から凹部１３に至るまで貫通した貫通孔として注入孔２２と空気抜き孔２３が形成されている。図３（ａ）に示す例では、底面部１２の中央部分に１つの注入孔２２が配置され、底面部１２の四隅近傍に４つの空気抜き孔２３が配置されている。
【００２０】
基材１１の底面部１２を裏面側から見た図２に示すように、底面部１２の裏面には例えば円筒状のボス部２４、２５が設けられている。ボス部２４の内部に注入孔２２が、ボス部２５の内部に空気抜き孔２３が、それぞれ表面側の凹部１３に通じる貫通孔として形成されている。このような注入孔２２及び空気抜き孔２３が形成されていることによって、後述するように、空気溜まりを生じさせることなくエラストマー系樹脂層１８の充填形成が可能となる。基材１１の底面部１２に形成された貫通孔のうち、排水用開口２１以外の注入孔２２及び空気抜き孔２３は、後述するようにエラストマー系樹脂層１８の凹部１３への充填後、塞がれる。
【００２１】
基材１１は硬質材（例えばＦＲＰ）を熱間成型することにより一体成形され、したがって、縁部１４、側壁部１５およびボス部２４、２５は一体に形成される。
【００２２】
図１及び図３（ｂ）に示すように、凹部１３を覆うようにスペーサー１６の上に表面材１９の周縁部１９ａが接着固定されている。表面材１９の平面サイズは、凹部１３の平面サイズより大きく（縦横ともに長く形成されている）、表面材１９において凹部１３からはみ出る周縁部１９ａがスペーサー１６の上面に接着固定されている。また、表面材１９の平面サイズは、基材１１全体の平面サイズより小さい（縦横ともに短く形成されている）。
【００２３】
表面材１９の表面は浴室内に露出し、使用者が触れたり、湯水にさらされる面となる。表面材１９は、耐水性、耐薬品性、耐衝撃性などを有すると共に、凹部１３に充填形成されるエラストマー系樹脂層１８の弾性変形に追従可能な可撓性を有する。表面材１９は基材１１よりも軟質ではあるが、エラストマー系樹脂層１８よりはクッション性（鉛直方向の変形量）が小さく、表面材１９は、例えば、基材１１に用いるＦＲＰよりも軟質なＦＲＰを用いることができる。また、表面材１９はエラストマー系樹脂層１８よりも薄い。
【００２４】
凹部１３と表面材１９との間に形成された空間内には、後述する方法にて充填されたエラストマー系樹脂層１８が設けられている。エラストマー系樹脂層１８は、鉛直方向に弾性変形可能なクッション性を有し、例えば比較的低発泡・低高度の樹脂系材料や、ゴムなどを用いることができるが、ゴム臭のない樹脂系材料の方が気密性の高い浴室の洗い場床として利用するには好ましい。
【００２５】
図１に示すように、表面材１９における最も外側の端部と、基材１１との間の隙間を水密的にシールするシーリング材８が設けられている。シーリング材８は、例えばシリコン等のコーキング材や目地部材である。これにより、表面材１９の裏側に湯水が浸入することを防止でき、エラストマー系樹脂層１８に湯水が入り込むことによるカビの発生やクッション性の低下などの不具合を防げる。
【００２６】
本実施形態に係る洗い場床はクッション層として機能するエラストマー系樹脂層１８を備えるので、使用者がひざをついても痛くないやわらかな感触が得られる。また、床が足になじみ、濡れた足でも滑りにくくできる。さらに、例えば洗面器を床に落としても音が響かない。さらに、使用者が冷たさを感じにくい。
【００２７】
ここで、スペーサー１６として、鉛直方向にほとんど変位しない比較的硬質のものを使えば、シーリング材８が設けられた表面材１９の周縁部１９ａは、柔らかなエラストマー系樹脂層１８を介さずに、そのスペーサー１６の上に接着固定されることになるため、表面材１９の周縁部１９ａに荷重がかかっても鉛直方向に大きく撓むことがなく、また撓むことがないため、撓んだ（沈み込んだ）状態から上方に大きく復元することもない。すなわち、表面材１９の周縁部１９ａが上下に大きく変動することがない。したがって、その周縁部１９ａに設けられたシーリング材８を引っ張ったり、浮き上がらせるような大きな応力が作用せず、シーリング材８が切れたり、外れたりすることがない。この結果、シール性及び見栄えを損ねない。
【００２８】
あるいは、使用者が踏んだときにスペーサー１６がまったく鉛直下方に変位しないと、表面材１９においてエラストマー系樹脂層１８の上の部分とスペーサー１６の上の部分とで、踏んだときに得られる感覚が大きく異なることによる違和感を生じさせる可能性もある。そこで、シール切れを起こすような大きな鉛直下方への変位を生じさせるほどではない若干の軟質性を有するスペーサー１６を用いることで、シール切れを回避しつつ使用者にそれほど違和感を感じさせないようにできる。
【００２９】
次に、本実施形態に係る洗い場床の製造方法について説明する。
【００３０】
例えばＦＲＰの熱間成型によって得られた基材１１の底面部１２に、図３（ａ）に示すように前述したスペーサー１６を接着固定させる。スペーサー１６としては、例えばポリスチレン、ＥＰＤＭ（ethylene propylene diene monomer）などを用いることができる。
【００３１】
次に、スペーサー１６の上に表面材１９の周縁部１９ａを接着固定し、表面材１９によって凹部１３を覆う。これにより、図４に示すように、凹部１３と表面材１９との間に空間２０が形成される。注入孔２２及び空気抜き孔２３は、その空間２０に通じている。排水用開口２１は、図３（ａ）に示すように凹部１３及びスペーサー１６よりも外方側に形成されているため空間２０に通じていない。
【００３２】
次に、図５（ａ）に示すように、基材１１の裏面を上に向けて表面材１９を支持台３０上に支持させる。支持台３０の上面は平坦に形成され、その平坦な面上に、表面材１９における空間２０に面する側とは反対側の面（浴室内側への露出面）を接触させる。これにより、次工程で行うエラストマー系樹脂の空間２０内への注入時に、表面材１９が空間２０とは反対側（図５（ａ）において下方）に膨れるのを防ぐことができる。
【００３３】
この図５（ａ）の状態で、注入孔２２から液状のエラストマー系樹脂を注入するとともに、真空ポンプを用いて空気抜き孔２３から真空吸引を行うことで、樹脂注入により空間２０内から押し出された空気を空間２０外に強制的に排気して、空間２０内をエラストマー系樹脂で充填する。
【００３４】
注入孔２２と空気抜き孔２３の配置レイアウトの一例を図６（ａ）〜（ｄ）に示す。これら（ａ）〜（ｄ）の各図において矢印は、注入孔２２から上記空間２０内に注入されたエラストマー系樹脂が面方向に広がっていく方向を示す。
【００３５】
図６（ａ）では、基材１１の底面部１２の中央部分に１つの注入孔２２を配置し、底面部１２の四隅近傍に４つの空気抜き孔２３を配置している。
【００３６】
図６（ｂ）では、基材１１の底面部１２の四隅のうちの１つの隅部近傍に１つの注入孔２２を配置し、他の３つの隅部近傍に３つの空気抜き孔２３を配置している。
【００３７】
図６（ｃ）では、基材１１の底面部１２の中央部分に１つの注入孔２２を配置し、底面部１２の四隅近傍に４つの空気抜き孔２３を配置し、さらに四隅の間の中間部分にも４つの空気抜き孔２３を配置している。
【００３８】
図６（ｄ）では、基材１１の底面部１２における四隅近傍に４つの空気抜き孔２３が配置され、さらにこれに加えて１つの空気抜き孔２３が、図において下側の２つの隅部の間の中間部分に配置されている。この隅部の中間部分に配置された空気抜き孔２３に対向する位置であって図において上側の２つの隅部の間の中間部分に、１つの注入孔２２が配置されている。
【００３９】
図６（ａ）〜（ｄ）のいずれの場合も、１つの注入孔２２に対して、複数の空気抜き孔２３を基材１１の底面部１２の面方向で偏ることなくバランスよく分散配置することで、注入孔２２から注入されたエラストマー系樹脂を効率よく空間２０内に行き渡らせることができる。
【００４０】
なお、注入孔２２及び空気抜き孔２３の数や配置レイアウトは図６に示す形態に限らず、任意に設計可能である。
【００４１】
前述した空間２０内へのエラストマー系樹脂の注入後、液状のエラストマー系樹脂を硬化させる工程を行う。これは、基材１１や表面材１９が変形、変質しない程度の例えば１４０℃以下の熱を炉の中で加えて液状のエラストマー系樹脂を熱硬化させる。なお、液状のエラストマー系樹脂を硬化させるにあたっては常温で硬化させてもよいが、常温よりも高温の熱を加えることで、液状のエラストマー系樹脂の硬化を促進してより短時間で硬化でき、製造効率向上の点で望ましい。
【００４２】
このエラストマー系樹脂の熱硬化により、図５（ｂ）に示すように、空間２０内に弾性変形可能であり洗い場床にやわらかさを与えるクッション層として機能するエラストマー系樹脂層１８が充填形成される。例えば、エラストマー系樹脂層１８は注入孔２２及び空気抜き孔２３の途中の高さまで充填される。
【００４３】
前述したように本実施形態では空間２０内へのエラストマー系樹脂の注入時には、空気抜き孔２３を介して空間２０内空気の排気を行っているため、注入時にエラストマー系樹脂が気泡を含んだり、基材１１とエラストマー系樹脂層１８との界面や、エラストマー系樹脂層１８と表面材１９との界面に空気溜まりが形成されるのを抑制することができる。
【００４４】
この結果、エラストマー系樹脂層１８のクッション性が損なわれたり、各部材間が剥離してしまうことを防止できる。また、意匠性や排水性を損ねることになる表面材１９の膨れを防げるため、商品価値や排水性を低下させることもない。
【００４５】
なお、前述した実施形態では、空気抜き孔２３から真空吸引を行うことによって空間２０内の空気を強制的に排気したが、真空吸引を行わなくても、単に空間２０内を空間２０外に連通させる空気抜き孔２３が形成されていることだけでも、空間２０内に充填されていくエラストマー系樹脂に押し出されるようにして空間２０内空気を空間２０外に排気することは可能となる。ただし、真空吸引を行えば、効率よく且つ確実に空間２０内空気の排気を行え、製造効率や製品品質を高める点で好ましい。
【００４６】
上記エラストマー系樹脂層１８の硬化後、注入孔２２及び空気抜き孔２３を塞ぐ。注入孔２２及び空気抜き孔２３を塞がなくても、前述したシーリング材８によって表面材１９の裏側には水が入り込まないようになっているため、注入孔２２や空気抜き孔２３から水が建物側に漏出する心配はない。
【００４７】
しかし、エラストマー系樹脂層１８において注入孔２２や空気抜き孔２３の上に位置する部分は下に何も支えがない状態であるので、エラストマー系樹脂層１８に鉛直下方の荷重が加わると、その支えがない部分の樹脂が、注入孔２２や空気抜き孔２３内を下方へと押し出されるように移動し、これに応じてその部分の上に対応する表面材１９の表面上に他の部分よりも下方への変位量が大きな局所的なへこみが発生し、使用者が違和感を感じる可能性がある。
【００４８】
そこで、本実施形態では、図７に示すように、洗い場床を設置面上に据え置く際の支持脚３１を使って注入孔２２及び空気抜き孔２３を塞ぐ。なお、図７には、注入孔２２が支持脚３１によって塞がれた部分しか示さないが、空気抜き孔２３も図７と同様の構造にて支持脚３１によって塞がれる。
【００４９】
支持脚３１は、ロケット部材３２と、ボルト部材３３とを有する。ロケット部材３２は、例えば円錐の頂部を切り取った形状に形成され、その径が小さい先端側部分の軸中心にはねじ孔３４が形成されている。ロケット部材３２において径が大きな根元部分の軸中心には、円筒状の中空孔３５が形成されている。ねじ孔３４と中空孔３５とはつながっておらず、それらの間には蓋部３６が設けられている。
【００５０】
中空孔３５の内部にボス部２４が嵌り込むことでロケット部材３２は基材１１の裏面に対して取り付けられる。このとき蓋部３６が注入孔２２の内部に入り込み、注入孔２２を塞ぐ。これにより、表面材１９の上方からエラストマー系樹脂層１８に対して鉛直下方への荷重が加わっても、注入孔２２からエラストマー系樹脂層１８が押し出されるのを防止し、洗い場床表面に局所的に大きなへこみが生じるのを防ぐことができる。
【００５１】
ボルト部材３３は、ロケット部材３２の先端側に形成されたねじ孔３４内に螺合され、ボルト部材３３を回すことでボルト部材３３の突出量を調整できる。これにより、洗い場床の設置高さ調整や水平レベル調整を行うことができる。
【００５２】
なお、注入孔２２や空気抜き孔２３は、支持脚３１を取り付けるためのボス部に形成することに限らず、ボス部以外の平坦な箇所に上記空間２０内に通じる貫通孔として形成してもよい。
【００５３】
また、注入孔２２や空気抜き孔２３を塞ぐ部材も支持脚３１に限らず、別途設けたキャップを用いてもよく、あるいは注入孔２２や空気抜き孔２３内に接着剤やシリコンなどの封止材を注入することで注入孔２２や空気抜き孔２３を塞いでもよい。
【００５４】
最後に、表面材１９における最も外側の端部と、基材１１との間の隙間を水密的にシールするシーリング材８を形成して、洗い場床表面側から層間内部及び裏面側への湯水の浸入防止を図る。
【００５５】
［第２の実施形態］
図８は、本発明の第２の実施形態に係る浴室用洗い場床の模式断面斜視図である。なお、上記第１の実施形態と同じ構成部分には同一の符号を付している。
【００５６】
本実施形態に係る洗い場床も、基材１１の底面部１２と、表面材１９との間に、第１の実施形態と同様な方法にて、エラストマー系樹脂層１８を充填形成した構造を有する。
【００５７】
基材１１は段付きのパン形状に形成され、その底面部１２より外方側には底面部１２よりも一段高くされた縁部１４がフランジ状に設けられている。底面部１２と縁部１４との間には、底面部１２の周縁部から縁部１４に向けて上方に立ち上がった内壁部９が一体に設けられている。この内壁部９と底面部１２とに囲まれて、縦断面視で凹状の凹部４３が形成されている。
【００５８】
図９（ａ）に示す本実施形態における基材１１の上面視において、凹部４３は大部分の面積を占める。縁部１４は、排水用開口２１の周りも含む凹部４３の全周を囲むように設けられている。
【００５９】
また、本実施形態においても、基材１１の底面部１２に、基材１１の裏面から凹部４３に至るまで貫通した貫通孔として注入孔２２と空気抜き孔２３が形成されている。
【００６０】
図８及び図９（ｂ）に示すように、凹部４３を覆うように縁部１４の上面に表面材１９の周縁部が接着固定されている。表面材１９の平面サイズは、凹部４３の平面サイズより大きく（縦横ともに長く形成されている）、表面材１９において凹部４３からはみ出る周縁部が縁部１４の上面に接着固定されている。また、表面材１９の平面サイズは、基材１１全体の平面サイズより小さい（縦横ともに短く形成されている）。
【００６１】
まず、縁部１４の上面に表面材１９の周縁部を接着固定し、表面材１９によって凹部４３を覆う。これにより、凹部４３と表面材１９との間に図１０（ａ）に示すように空間５０が形成される。注入孔２２及び空気抜き孔２３は、その空間５０に通じている。排水用開口２１は、図９（ａ）に示すように、凹部４３よりも外方側に形成されているため空間５０に通じていない。
【００６２】
次に、図１０（ａ）に示すように、基材１１の裏面を上に向けて表面材１９を支持台３０上に支持させる。支持台３０の上面は平坦に形成され、その平坦な面上に、表面材１９における空間５０に面する側とは反対側の面（浴室内側への露出面）を接触させる。これにより、次工程で行うエラストマー系樹脂の空間５０内への注入時に、表面材１９が空間５０とは反対側（図１０（ａ）において下方）に膨れるのを防ぐことができる。
【００６３】
この状態で、注入孔２２から液状のエラストマー系樹脂を注入するとともに、真空ポンプを用いて空気抜き孔２３から真空吸引を行うことで、樹脂注入により空間５０内から押し出された空気を空間５０外に強制的に排気して、空間５０内をエラストマー系樹脂で充填する。
【００６４】
空間５０内へのエラストマー系樹脂の注入後、液状のエラストマー系樹脂を硬化させる工程を行う。これは、基材１１や表面材１９が変形、変質しない程度の例えば１４０℃以下の熱を炉の中で加えて液状のエラストマー系樹脂を熱硬化させる。
【００６５】
このエラストマー系樹脂の熱硬化により、図１０（ｂ）に示すように、空間５０内に弾性変形可能であり洗い場床にやわらかさを与えるクッション層として機能するエラストマー系樹脂層１８が充填形成される。例えば、エラストマー系樹脂層１８は注入孔２２及び空気抜き孔２３の途中の高さまで充填される。
【００６６】
本実施形態においても、空間５０内へのエラストマー系樹脂の注入時には、空気抜き孔２３を介して空間５０内空気の排気を行っているため、注入時にエラストマー系樹脂が気泡を含んだり、基材１１とエラストマー系樹脂層１８との界面や、エラストマー系樹脂層１８と表面材１９との界面に空気溜まりが形成されるのを抑制することができる。
【００６７】
この結果、エラストマー系樹脂層１８のクッション性が損なわれたり、各部材間が剥離してしまうことを防止できる。また、意匠性や排水性を損ねることになる表面材１９の膨れを防げるため、商品価値や排水性を低下させることもない。
【００６８】
エラストマー系樹脂層１８の硬化後、本実施形態においても上記第１の実施形態と同様、支持脚３１によって注入孔２２及び空気抜き孔２３を塞ぐ。これにより、表面材１９の上方からエラストマー系樹脂層１８に対して鉛直下方への荷重が加わっても、注入孔２２や空気抜き孔２３からエラストマー系樹脂層１８が押し出されるのを防止し、洗い場床表面に局所的に大きなへこみが生じるのを防ぐことができる。
【００６９】
最後に、図８に示すように、表面材１９における最も外側の端部と、基材１１の縁部１４との間の隙間を水密的にシールするシーリング材８を形成して、洗い場床表面側から層間内部及び裏面側への湯水の浸入防止を図る。
【００７０】
本実施形態においても、洗い場床はクッション層として機能するエラストマー系樹脂層１８を備えるので、使用者がひざをついても痛くないやわらかな感触が得られる。また、床が足になじみ、濡れた足でも滑りにくくできる。さらに、例えば洗面器を床に落としても音が響かない。さらに、使用者が冷たさを感じにくい。
【００７１】
また、シーリング材８が設けられた表面材１９の周縁部は、柔らかなエラストマー系樹脂層１８を介さずに、硬質の縁部１４の上面に接着固定されるため、表面材１９の周縁部に荷重がかかっても鉛直方向に撓むことがなく、また撓むことがないため、撓んだ（沈み込んだ）状態から上方に大きく復元することもない。すなわち、表面材１９の周縁部が上下に大きく変動することがない。したがって、その周縁部に設けられたシーリング材８を引っ張ったり、浮き上がらせるような大きな応力が作用せず、シーリング材８が切れたり、外れたりすることがない。この結果、シール性及び見栄えを損ねない。
【図面の簡単な説明】
【００７２】
【図１】本発明の第１の実施形態に係る浴室用洗い場床の模式断面斜視図。
【図２】同洗い場床の基材を裏面側から見た模式斜視図。
【図３】同洗い場床において、（ａ）はスペーサーが設けられた状態の基材の上面図であり、（ｂ）はスペーサーの上に表面材が接着固定された状態の上面図。
【図４】同洗い場床において、スペーサーの上に表面材が接着固定され、基材底面部と表面材との間の空間にエラストマー系樹脂層を充填する前の状態を示す模式図。
【図５】表面材を支持台上に支持させ、図４に示す上記空間内にエラストマー系樹脂層を注入する工程を示す模式図。
【図６】本発明の実施形態に係る洗い場床において、基材底面部に形成される注入孔と空気抜き孔の配置レイアウトを例示する模式図。
【図７】本発明の実施形態に係る洗い場床において、注入孔及び空気抜き孔を支持脚で塞いだ状態を示す模式図。
【図８】本発明の第２の実施形態に係る浴室用洗い場床の模式断面斜視図。
【図９】同第２の実施形態に係る洗い場床において、（ａ）は基材の上面図であり、（ｂ）は基材縁部の上面に表面材が接着固定された状態の上面図。
【図１０】同第２の実施形態に係る洗い場床において、エラストマー系樹脂層の充填形成工程を示す模式図。
【符号の説明】
【００７３】
８…シーリング材、１１…基材、１２…底面部、１３，４３…凹部、１４…縁部、１６…スペーサー、１８…エラストマー系樹脂層、１９…表面材、２０，５０…空間、２１…排水用開口、２２…注入孔、２３…空気抜き孔、３０…支持台、３１…支持脚、３２…ロケット部材、３３…ボルト部材
【図１】
0005170645.tif 000002
【図２】
0005170645.tif 000003
【図３】
0005170645.tif 000004
【図４】
0005170645.tif 000005
【図５】
0005170645.tif 000006
【図６】
0005170645.tif 000007
【図７】
0005170645.tif 000008
【図８】
0005170645.tif 000009
【図９】
0005170645.tif 000010
【図１０】
0005170645.tif 000011